(57)【要約】【課題】経鼻内視鏡を経口的に咽頭反射を生ずることなく挿入できるようにした内視鏡用マウスピースを提供する。【解決手段】患者が噛む筒状の本体部３と、本体部３から後方に延出され、本体部３を通して挿入される経鼻内視鏡２が患者の口腔ｂ内で上方に湾曲するように案内するガイド部６とを備える。これにより、内視鏡２が舌根部ｅを迂回して食道ａに挿入され、舌根部ｅの圧迫で生ずる咽頭反射が防止される。また、ガイド部６の下側で本体部３から後方に延出されて患者の舌ｃを押える板部７を備える。更に、本体部３を強く噛んだときに患者の歯及び顎に過大な負荷がかからないように、本体部３に軟質樹脂製のチューブ５を外挿する。【選択図】図３
2008289520.tif 000002
【特許請求の範囲】
【請求項１】
経鼻内視鏡を経口的に挿入するための内視鏡用マウスピースであって、患者が噛む筒状の本体部を備えると共に、本体部に対する内視鏡の挿入方向を後方、患者の舌から口蓋に向う方向を上方として、本体部から後方に延出され、本体部を通して挿入される内視鏡が患者の口腔内で上方に湾曲するように案内するガイド部を備えることを特徴とする内視鏡用マウスピース。
【請求項２】
前記ガイド部は後上がりに湾曲する筒状に形成されることを特徴とする請求項１記載の内視鏡用マウスピース。
【請求項３】
前記ガイド部は後上がりに湾曲する樋状に形成されることを特徴とする請求項１記載の内視鏡用マウスピース。
【請求項４】
前記ガイド部の下側で前記本体部から後方に延出されて患者の舌を押える板部を備えることを特徴とする請求項１〜３の何れか１項記載の内視鏡用マウスピース。
【請求項５】
前記本体部に軟質樹脂製のチューブが外挿されていることを特徴とする請求項１〜４の何れか１項記載の内視鏡用マウスピース。
【発明の詳細な説明】
【技術分野】
【０００１】
本発明は、経鼻内視鏡を経口的に挿入するために使用する内視鏡用マウスピースに関する。
【背景技術】
【０００２】
食道、十二指腸などの上部消化器官の検査には、一般的に経口内視鏡が用いられている。然し、経口内視鏡は直径が９ｍｍ前後と太いため、咽頭反射（嘔吐反射）を生じやすく、人によっては耐え難い苦痛を感ずることがある。
【０００３】
そこで、最近は、経口内視鏡より細く柔軟に形成された経鼻内視鏡を用い、内視鏡を患者の鼻腔を通して挿入して内視鏡検査を行うことが多くなっている。このように内視鏡を経鼻的に挿入すると、咽頭反射が殆ど起こらず、苦痛が軽減される。
【０００４】
然し、内視鏡を経鼻的に挿入する場合は、鼻腔を拡張するために、細めのカテーテルと太目のカテーテルとを鼻腔に２段階に分けて挿入し、それぞれ１５分ほど留置することが必要になる。また、この際、鼻腔に麻酔剤を投与したり、粘膜の腫れを抑える血管収縮剤等を投与する必要がある。そのため、前処置に時間がかかり、更に、カテーテルを留置している間、看護師が患者についている必要があって、看護師の作業効率が低下する。
【０００５】
前処置にかかる時間を短くし、作業効率を向上させるため、経鼻内視鏡を経口的に挿入することも考えられる。然し、経鼻内視鏡は細く柔軟であるといっても、経口挿入では内視鏡が患者の舌根部を圧迫して、咽頭反射を生じてしまうことがある。
【０００６】
ここで、経口内視鏡の挿入に使用されるものであるが、従来、患者が噛む筒状体と、筒状体に内挿され先端に屈曲部を有する管状体とで構成される内視鏡用マウスピースが知られている（例えば、特許文献１参照）。このマウスピースを使用する際は、管状体を筒状体を通して患者の口腔内に先端の屈曲部が咽頭に達するように挿入セットし、この状態で内視鏡を管状体に挿入する。これによれば、内視鏡は管状体の屈曲部に案内されて、舌根部を圧迫することなく食道に挿入される。
【０００７】
然し、このものでは、管状体の屈曲部が舌根部を圧迫することになり、咽頭部分に麻酔剤をスプレーする等の簡単な前処置では、咽頭反射を生じて患者が苦痛を感じてしまう。
【特許文献１】特開平８−２０６２２４号公報
【発明の開示】
【発明が解決しようとする課題】
【０００８】
本発明は、以上の点に鑑み、経鼻内視鏡を経口的に咽頭反射を生ずることなく挿入できるようにした内視鏡用マウスピースを提供することをその課題としている。
【課題を解決するための手段】
【０００９】
上記課題を解決するために、本発明は、経鼻内視鏡を経口的に挿入するための内視鏡用マウスピースであって、患者が噛む筒状の本体部を備えると共に、本体部に対する内視鏡の挿入方向を後方、患者の舌から口蓋に向う方向を上方として、本体部から後方に延出され、本体部を通して挿入される内視鏡が患者の口腔内で上方に湾曲するように案内するガイド部を備えることを特徴とする。
【００１０】
本発明のマウスピースを使用すれば、内視鏡が患者の口腔内でガイド部に案内されて上方（舌から離れる方向）に湾曲するため、内視鏡は舌根部を迂回して食道に挿入される。従って、内視鏡が舌根部を圧迫することはなく、咽頭反射は殆ど生じない。その結果、前処置は咽頭部分に麻酔剤をスプレーするだけの簡単な処置で済み、前処置にかかる時間を短くし、作業効率を向上させることができる。尚、内視鏡は経鼻内視鏡であって細く柔軟であるため、口腔内で内視鏡が一旦上方に湾曲しても、内視鏡は下方に反転して無理なく食道に挿入される。
【００１１】
ここで、ガイド部は、後上がりに湾曲する筒状、或いは、後上がりに湾曲する樋状に形成されていることが望ましい。これにより、内視鏡を口腔内で確実に上方に湾曲させることができる。
【００１２】
また、本発明においては、ガイド部の下側で本体部から後方に延出されて患者の舌を押える板部を備えることが望ましい。これによれば、内視鏡を挿入する際に舌の動きが板部により抑制されるため、内視鏡を容易に挿入でき、咽頭反射もより確実に防止できる。
【００１３】
また、本発明においては、本体部に軟質樹脂製のチューブが外挿されていることが望ましい。これによれば、内視鏡検査時に患者が本体部を強く噛んだ場合でも、患者の歯及び顎にかかる負担を軽減できる。
【発明を実施するための最良の形態】
【００１４】
先ず、図１乃至図３を参照して、本発明の第１実施形態の内視鏡用マウスピース１について説明する。このマウスピース１は経鼻内視鏡２を患者の食道ａに口腔ｂを通して経口的に挿入するために使用される。
【００１５】
マウスピース１は硬質樹脂で形成された筒状の本体部３を備える。以下、本体部３に対する内視鏡２の挿入方向を後方、患者の舌ｃから口蓋ｄに向かう方向を上方として説明する。本体部３の断面形状は、患者が噛みやすいように横長の長円形に形成される。そして、本体部３の前端には、本体部３の径方向外方に張り出すフランジ部４が形成されている。また、本体部３には、シリコーンゴム等の軟質樹脂で形成されたチューブ５が外挿されている。尚、一度使用したマウスピース１の再使用を避けるため、チューブ５の材質は歯形が付きやすいものとすることが望ましい。
【００１６】
マウスピース１は、更に、本体部３から後方に延出されて後上がりに湾曲する筒状のガイド部６を備える。ガイド部６の長さは、その後端が患者の舌根部ｅより手前に位置するように設定されている。また、ガイド部６は軟質樹脂又は硬質樹脂で形成され、その前部の直状筒部６ａにおいて本体部３に内嵌固定されている。尚、ガイド部６を本体部３に一体成形することも可能である。
【００１７】
また、マウスピース１は、ガイド部６の下側で本体部３から後方に延出される本体部３と一体の板部７を備えている。この板部７により患者の舌ｃが押さえられる。
【００１８】
マウスピース１を使用する際は、図３に示す如く、患者がフランジ部４を唇に当接させた状態で本体部３を噛む。この状態で本体部３に内視鏡２を挿入する。この場合、内視鏡２はガイド部６に案内されて口腔ｂ内で上方に湾曲する。ここで、内視鏡２は経鼻内視鏡であって細く柔軟であるため、内視鏡２が口腔ｂ内で一旦上方に湾曲しても、咽頭部で下方に反転湾曲して無理なく食道ａに挿入される。そして、内視鏡２は口腔ｂ内で上方に湾曲して舌ｃから離れるため、舌根部ｅを迂回して食道ａに挿入されることになる。従って、内視鏡２が舌根部ｅを圧迫することはなく、咽頭反射は殆ど生じない。その結果、前処置は咽頭部分に麻酔剤をスプレーするだけの簡単な処置で済む。そのため、前処置にかかる時間が２〜３分程度と短くなり、作業効率を向上させることができる。
【００１９】
また、内視鏡２の挿入に際し、舌ｃの動きが板部７により抑制される。そのため、内視鏡２を舌ｃに邪魔されずに容易に挿入でき、咽頭反射も確実に防止される。更に、内視鏡検査中に患者が本体部３を強く噛んでも、本体部３に外挿した軟質樹脂製のチューブ５により患者の歯及び顎にかかる負担が軽減される。
【００２０】
次に、図４、図５に示す第２実施形態のマウスピース１について説明する。第２実施形態のものも基本的な構造は上記第１実施形態のものと同様であり、第１実施形態と同様の部材、部位に上記と同一の符号を付している。
【００２１】
第２実施形態のマウスピース１の第１実施形態のものとの相違点は、本体部３から後方に延出される後上がりに湾曲する樋状のガイド部６´を備える点である。このような樋状のガイド部６´によっても内視鏡を口腔内で上方に湾曲させて、内視鏡が舌根部を圧迫することを防止できる。
【００２２】
以上、本発明の実施形態について図面を参照して説明したが、本発明はこれに限定されない。例えば、上記第１実施形態の筒状のガイド部６を後方に延長し、その後部を図３に示す内視鏡２の湾曲形状に合わせて下方に反転湾曲させてもよい。
【図面の簡単な説明】
【００２３】
【図１】本発明のマウスピースの側面図。
【図２】図１の左方から見た第１実施形態のマウスピースの正面図。
【図３】第１実施形態のマウスピースの使用状態の切断側面図。
【図４】第２実施形態のマウスピースの切断側面図。
【図５】図４の左方から見た第２実施形態のマウスピースの正面図。
【符号の説明】
【００２４】
１…マウスピース、２…経鼻内視鏡、３…本体部、５…チューブ、６…筒状のガイド部、６´…樋状のガイド部、７…板部。
【図１】
2008289520.tif 000003
【図２】
2008289520.tif 000004
【図３】
2008289520.tif 000005
【図４】
2008289520.tif 000006
【図５】
2008289520.tif 000007